(57)【要約】【課題】  壁に障害物があっても設置可能であるとともに、一人で設置でき、かつ開放感のあるすっきりした美観を与えることができるフレーム収納体を提供する。【解決手段】  壁Ｗから所定間隔をおいて垂直に延び、下端部を床Ｆに固定された垂直フレーム３と、この垂直フレーム３の上端から壁Ｗに向かって延び、壁Ｗに壁側端部が固定された壁支えフレーム４とから支柱１が構成され、この支柱１が壁Ｗに沿って間隔をおいて複数個配置され、これらの支柱１間に棚板やハンガーパイプ等の収納部２が設けられている。【選択図】      図１
2006149897.tif 000002
【特許請求の範囲】
【請求項１】
壁から所定間隔をおいて垂直に延び、下端部を床に固定された垂直フレームと、この垂直フレームの上端から前記壁に向かって延び、該壁に壁側端部が固定された壁支えフレームとから支柱が構成され、この支柱が前記壁に沿って間隔をおいて複数個配置され、これらの支柱間に棚板やハンガーパイプ等の収納部が設けられていることを特徴とするフレーム収納体。
【請求項２】
前記支柱の前記壁支えフレームと前記壁との固定構造は、前記壁に固定具により固定された壁側固定部材と、前記壁支えフレームの壁側端部に設けられたフレーム側固定部材とを備え、前記壁側固定部材が前記フレーム側固定部材により覆い隠され、かつ、前記壁側固定部材の係止部に前記フレーム側固定部材の係止部が引っ掛けられるとともに、前記壁側固定部材に前記フレーム側固定部材が固定具により固定されていることを特徴とする請求項１に記載のフレーム収納体。
【発明の詳細な説明】
【技術分野】
【０００１】
本発明は、居間やクローゼットなどに設置され、物や衣類などを収納したり、展示したりするフレーム収納体に関する。
【背景技術】
【０００２】
従来、このようなフレーム収納体としては、例えば、特許文献１に記載のものが提案されている。このフレーム収納体（収納ラック）は、収納庫の奥壁から前方に所定間隔を隔てた位置で左右に間隔を隔てて複数本の支柱を立設し、収納庫の奥行き方向である前後方向に長手方向を向けて配置した天枠材を支柱の上端に連結し、支柱の上端と略同レベルで奥壁に沿って水平にレール材を取着し、天枠材の後端に設けた引っ掛け部をレール材の引っ掛け溝に引っ掛け係止し、左右に隣り合う天枠材間に天板を懸架して取り付けたものである。
【０００３】
【特許文献１】特開２００３−２１９９２１号公報
【発明の開示】
【発明が解決しようとする課題】
【０００４】
しかしながら、このフレーム収納体にあっては、壁にレール材を取り付けるので、壁にレールを設置する連続した平面を確保する必要があり、フレーム収納体の設置場所が限定されるという問題がある。また、壁にレール材を取り付けには、一人では難しいという問題がある。また、壁にレール材が取り付けられると、壁の美観が損なわれるという問題がある。また、支柱と天枠材とをＴ字状に連結するので、天枠材の前側が支柱よりも手前側に突出し、これらの天枠材間に天板を天板を懸架して取り付けるので、圧迫感がある。
【０００５】
本発明は、このような事情に鑑みて為されたもので、壁に障害物があっても設置可能であるとともに、一人で設置でき、かつ開放感のあるすっきりした美観を与えることができるフレーム収納体を提供することを目的とする。
【課題を解決するための手段】
【０００６】
前記目的を達成するために、請求項１に記載のフレーム収納体は、壁から所定間隔をおいて垂直に延び、下端部を床に固定された垂直フレームと、この垂直フレームの上端から前記壁に向かって延び、該壁に壁側端部が固定された壁支えフレームとから支柱が構成され、この支柱が前記壁に沿って間隔をおいて複数個配置され、これらの支柱間に棚板やハンガーパイプ等の収納部が設けられていることを特徴とする。
【０００７】
請求項１に記載の発明においては、複数個の支柱の各壁支えフレームの端部がそれぞれ単独で壁に固定されるので、壁支えフレームの間の壁の部分は平面となっている必要がなく、多少の障害物があっても取り付けることができる。したがって、フレーム収納体の設置場所の許容範囲が広いという利点がある。また、支柱を１つずつ取り付けていけばよいので、一人でも容易に設置することができる。また、支柱の間には、レールや天枠材などが一切なく、収納部のみが設置されているので、開放感のあるすっきりした美観となる。さらに、垂直に延びる垂直フレームとこの垂直フレームの上端から壁に向かって延びる壁支えフレームとからなる支柱は、上部が折曲した連続的なフレームとしての形態をしており、この支柱が壁に沿って間隔をおいて複数個配置されているので、デザイン的に斬新であり、単なる収納体としてだけでなく、室内装飾品として用いることができる。
【０００８】
請求項２に記載のフレーム収納体は、請求項１に記載の発明において、前記支柱の前記壁支えフレームと前記壁との固定構造は、前記壁に固定具により固定された壁側固定部材と、前記壁支えフレームの壁側端部に設けられたフレーム側固定部材とを備え、前記壁側固定部材が前記フレーム側固定部材により覆い隠され、かつ、前記壁側固定部材の係止部に前記フレーム側固定部材の係止部が引っ掛けられるとともに、前記壁側固定部材に前記フレーム側固定部材が固定具により固定されていることを特徴とする。
【０００９】
請求項２に記載の発明においては、壁側固定部材が壁支えフレームの端部のフレーム側固定部材により覆い隠されるので、壁支えフレームから壁にかけてすっきりした形態となり、このフレーム収納体の美観がより高まる。さらに、壁支えフレームの端部を壁に取り付ける際に、まず、壁に壁側固定部材を固定し、その後壁支えフレームの壁側端部に設けたフレーム側固定部材の係止部を壁側固定部材の係止部に引っ掛けると、壁支えフレームから手を離してもよいので、その後に壁側固定部材にフレーム側固定部材を固定具により固定する作業がやり易いとともに、固定位置の調整も正確に行うことができる。
【発明の効果】
【００１０】
本発明のフレーム収納体によれば、壁に障害物があっても設置可能であるとともに、一人で設置でき、かつ開放感のあるすっきりした美観を与えることができる。
【発明を実施するための最良の形態】
【００１１】
以下、添付した図面を参照しながら、本発明の実施の形態を説明する。
図１ないし図８は、本発明の実施の形態を示す図である。図１はフレーム収納体を示す斜視図である。図２は壁支えフレームの固定部を示す斜視図である。図３ないし図５はフレーム側固定部材を示す図であって、図３は斜視図であり、図４は側面図であり、図５は正面図である。図６および図７は壁側固定部材を示す図であって、図６は側面図であり、図７は正面図である。図８は垂直フレームおよび壁支えフレームを示す斜視図である。
【００１２】
図１に示すように、本実施の形態のフレーム収納体は、壁Ｗに沿って間隔をおいて配置された複数個の支柱１と、これらの支柱１の間に設けられた収納部２とを備えている。収納部２としては、たとえば、支柱１間に架け渡された棚板２ａ、ハンガーパイプ２ｂあるいは網籠など、または支柱１間に配置されるキャビネット２ｃあるいはコンテナーなどがある。棚板２ａは、例えば、支持部材８により支持される。
【００１３】
支柱１は、壁Ｗから前側に所定間隔をおいて垂直に延び、下端部を床Ｆに固定された垂直フレーム３と、この垂直フレーム３の上端から壁Ｗに向かって延び、壁Ｗに壁側端部が固定された壁支えフレーム４とから構成されている。これらの垂直フレーム３および壁支えフレーム４はともに、中空構造を有するアルミニウム合金製の押出形材からなり、断面形状が同じに形成され、これらの垂直フレーム３と壁支えフレーム４とが連結されて構成された支柱１は、上端部分が壁Ｗ側に直角に折曲している、一体的に連続する鉤形（Ｌ字状）に形成されている。垂直フレーム３および壁支えフレーム４は、例えば、図８に示すように、断面形状が概略長方形の筒状に形成され、両側面の中央部にそれぞれ長手方向に連続して延びる断面形状が方形の溝５１が形成される。
【００１４】
図１に示すように、垂直フレーム３の下端には、台座５が高さを調節可能に取り付けられており、この台座５が床Ｆにねじ等の固定具により固定されている。
【００１５】
また、図１および図２に示すように、壁支えフレーム４の壁側端部には、フレーム側固定部材６が設けられている。図３ないし図５に示すように、このフレーム側固定部材６には、挿入部１１と覆い部１２とが一体的に形成されている。挿入部１１は、上下左右および中央部の５つの突起部２１，２２，２３，２４，２５を備えており、これらの突起部が壁支えフレーム４の壁側端から該壁支えフレーム４の中空部あるいは溝内に挿入され、壁支えフレーム４の上壁と上側の突起部２１とがねじで締め付けられて、フレーム側固定部材６が壁支えフレーム４に固定されている。覆い部１２は、方形の箱型に形成されており、挿入部１１側（壁支えフレーム４側）が底壁３１で反対側が開口となっている。覆い部１２内の上部には、底壁３１から開口に向かって突出する係止部３２が形成されており、この係止部３２の下面は、底壁３１から開口に向かって斜め下方に傾斜する傾斜面３３となっている。また、底壁３１の下端部は、下方に向かうにつれて開口側に近づくように傾斜した傾斜部３５が形成されており、この傾斜部３５にねじ穴３６が形成されている。このねじ穴３６は、左右方向に長い長穴になっている。
【００１６】
一方、図６および図７に示すように、壁Ｗには、板状の壁側固定部材７が設けられている。この壁側固定部材７は、帯板状の壁固定部４１を備えており、この壁固定部４１の裏面に貼り付けられた両面テープで壁Ｗに貼り付けられた後、ねじ等の固定具により壁Ｗに固定されている。壁固定部４１の左右端部にはそれぞれ、前方に突出する係止部４２が形成されており、係止部４２の上面は、前方に向かって斜め上方に傾斜する傾斜面４３となっている。この傾斜面４３の傾斜角度は、フレーム側固定部材６の係止部３２の傾斜面３３の傾斜角度と同じに設定されている。また、壁固定部４１の下端には、側面視においてく字状に折曲された壁支えフレーム固定部４４が形成されており、この下部の傾斜角度は、フレーム側固定部材６の傾斜部３５の傾斜角度と同じにされており、ここに雌ねじ４５が形成されている。壁側固定部材７は、フレーム側固定部材６の箱型の覆い部１２内に全体が収まる寸法に設定されている。また、覆い部１２内において、壁側固定部材７が左右に少し位置をずらすことが可能になっている。
【００１７】
壁支えフレーム４の壁側端に固定されたフレーム側固定部材６は、その係止部３２が壁側固定部材７の係止部４２に引っ掛けられるとともに、傾斜部３５のねじ穴３６を通して、壁支えフレーム固定部４４の雌ねじ４５にねじ（固定具）３７がねじ込まれることにより、傾斜部３５が壁支えフレーム固定部４４に固定されている。このとき、図２に示すように、壁側固定部材７は、フレーム側固定部材６の箱状の覆い部１２内に収まり、外側から見えないようになっている。
【００１８】
次に、このフレーム収納体を設置する手順を説明する。
まず、予め、支柱１に、フレーム側固定部材６および台座５を取り付けておく。
ついで、支柱１を設置する位置決めを行い、これに対応する位置に壁側固定部材７を固定する。壁側固定部材７は、壁固定部４１をその裏面に貼設された両面テープで壁Ｗに貼り付けた後、壁固定部４１をねじ等の固定具により壁Ｗに固定する。
【００１９】
次いで、壁側固定部材７に、フレーム側固定部材６を仮固定する。すなわち、フレーム側固定部材６の係止部３２を壁側固定部材７の係止部４２に引っ掛けるとともに、傾斜部３５のねじ穴３６を通して、壁支えフレーム固定部４４の雌ねじ４５にねじを途中までねじ込む。このとき、壁側固定部材７の係止部４２の傾斜面４３にフレーム側固定部材６の係止部３２の傾斜面３３が係合しているとともに、壁支えフレーム固定部４４の下部が傾斜部３５に接触している。なお、フレーム側固定部材６の係止部３２を壁側固定部材７の係止部４２に引っ掛ければ、手を離しても、フレーム側固定部材６は落下せず、したがって支柱１は倒れない。また、フレーム側固定部材６の係止部３２を壁側固定部材７の係止部４２に引っ掛けた後、フレーム側固定部材６の覆い部１２を左右に少し動かして左右位置を調整することができる。
【００２０】
次いで、支柱１の下端の台座５の高さを調節して、床Ｆに台座５を仮固定する。
次いで、もう一度、支柱１の上下左右の位置の確認あるいは調整を行った後、壁側固定部材７にフレーム側固定部材６を完全に固定するとともに、床Ｆに台座５を完全に固定する。
【００２１】
次いで、同様にして、壁Ｗに沿って所定間隔をおいて支柱１を所定数設置する。
次いで、支柱１に支持部材８を固定するなどした後、支柱１の間に、棚板２ａやハンガーパイプ２ｂ等の収納部２を架け渡したり、あるいはキャビネット２ｃ等の収納部２を配置する。
【００２２】
このように構成されたフレーム収納体にあっては、複数個の支柱１の各壁支えフレーム４の端部がそれぞれ単独で壁Ｗに固定されるので、壁支えフレーム４の間の壁Ｗの部分は平面となっている必要がなく、多少の障害物があっても取り付けることができる。したがって、フレーム収納体の設置場所の許容範囲が広い。また、支柱１を１つずつ取り付けていけばよいので、一人でも容易に設置することができる。また、支柱１の間には、レールや天枠材などが一切なく、収納部２のみが設置されるので、開放感のあるすっきりしたデザインとなる。さらに、垂直に延びる垂直フレーム３とこの垂直フレーム３の上端から壁Ｗに向かって延びる壁支えフレーム４とからなる支柱１は、上部が折曲した連続的なフレームとしての形態をなしており、この支柱１が壁Ｗに沿って間隔をおいて複数個配置されているので、デザイン的に斬新であり、単なる収納体としてだけでなく、室内装飾品として用いることができる。
【００２３】
また、壁側固定部材７が壁支えフレーム４の端部のフレーム側固定部材６により覆い隠されるので、壁支えフレーム４から壁Ｗにかけての形態がすっきりしたものとなり、このフレーム収納体の美観がさらに向上する。さらに、壁支えフレーム４の端部を壁Ｗに取り付ける際に、まず、壁Ｗに壁側固定部材７を固定し、その後壁支えフレーム４の壁側端部に設けたフレーム側固定部材６の係止部３２を壁側固定部材７の係止部４２に引っ掛けると、壁支えフレーム４から手を離してもよいので、その後に壁側固定部材７にフレーム側固定部材６をねじ３７により固定する作業がやり易いとともに、固定位置の調整も正確に行うことができる。
【００２４】
なお、本発明は前記実施の形態に限定されるものではなく、本発明の要旨を逸脱しない範囲での種々の設計変形等が可能である。例えば、前記実施の形態では、垂直フレーム３に対して壁支えフレーム４を直角に設けたが、上下方向に斜めに設けるようにしてもよい。
【図面の簡単な説明】
【００２５】
【図１】本発明の実施の形態に係るフレーム収納体を示す斜視図である。
【図２】壁支えフレームの固定部を示す斜視図である。斜視図である。
【図３】フレーム側固定部材を示す図であって、図３は斜視図である。
【図４】同、側面図である。
【図５】同、正面図である。
【図６】壁側固定部材を示す図であって、側面図である。
【図７】同、正面図である。
【図８】垂直フレームおよび壁支えフレームを示す斜視図である。
【符号の説明】
【００２６】
１    支柱
２    収納部
３    垂直フレーム
４    壁支えフレーム
６  フレーム側固定部材
７    壁側固定部材
３２  係止部
３７  ねじ（固定具）
４２  係止部
Ｗ    壁
Ｆ    床
【図１】
2006149897.tif 000003
【図２】
2006149897.tif 000004
【図３】
2006149897.tif 000005
【図４】
2006149897.tif 000006
【図５】
2006149897.tif 000007
【図６】
2006149897.tif 000008
【図７】
2006149897.tif 000009
【図８】
2006149897.tif 000010